(57)【特許請求の範囲】
【請求項１】
各種料金等を精算する機能を具備すると共に、全体を床面或は路面の上に設置可能な略ボックス形状に造り、且つ、内部への現金等の出し入れを本体前面又は側面に設けた開閉扉を開いて行うように構成した自動精算機であつて、
上記開閉扉の内側に施錠フック受けを設け、この開閉扉を取付けた面に隣接する本体の一側面に、少なくとも鍵の操作を可能にした最小空間の鍵操作室を凹設して、この鍵操作室の内側面のうち、上記開閉扉に対向する側部内側面にメインキーを設けると共に、メインキーの内側部には、メインキーの施錠操作によって回動して、上記開閉扉の施錠フック受けに係合する施錠フック部材を設けたことを特徴とする自動精算機用盗難防止装置。
【請求項２】
前記鍵操作室を凹設した本体側面にサブキーを設け、このサブキーの内側部にはサブキーの施錠操作によって回動して、施錠状態にある前記メインキーの施錠フック部材を施錠位置にロックするロック部材を設けたことを特徴とする請求項１に記載の自動精算機用盗難防止装置。
【請求項３】
前記メインキーの施錠フック部材の一側部に、メインキーを施錠操作した時に、前記開閉扉の施錠フック受けに係合するメインフックと、本体側の係止部に係合する係合フックと、施錠操作された前記サブキーのロック部材によって解錠回動が制止されるロック突片を設けると共に、上記施錠フック部材の他側部には、メインキーの施錠操作に従って本体側と開閉扉側に設けた各ロック板のロック穴に係合して、開閉扉の開放をロックする係合板を設けたことを特徴とする請求項１又は２に記載の自動精算機用盗難防止装置。
【請求項４】
各種料金等を精算する機能を具備すると共に、全体を床面或は路面の上に設置可能な略ボックス状に造り、且つ、内部への現金の出し入れを少なくとも本体前面と一側面に設けた各開閉扉を開いて行うように構成した自動精算機であって、
上記前面開閉扉の内側に施錠フック受けを設ける一方、上記側面開閉扉に少なくとも鍵の操作を可能にした最小空間の鍵操作室を凹設して、この鍵操作室の内側面のうち、上記前面開閉扉に対向する側部内側面にメインキーを設けると共に、メインキーの内側部にはメインキーの施錠操作によって回動して、一体に設けたメインフックを上記前面開閉扉の施錠フック受けに係合する施錠フック部材を設け、且つ、この施錠フック部材の一側部には、メインキーの施錠操作時に本体側と前面開閉扉に設けた各ロック板のロック穴に係合して、前面開閉扉の開放をロックする係合板を設け、この係合板には、上記メインキーの施錠操作時に本体側ロック板のロック穴の縁に係合して、側面開閉扉の開放をロックする係止フックを突設したことを特徴とする自動精算機用盗難防止装置。
【請求項５】
前記側面開閉扉にサブキーを設け、このサブキーの内側部には、サブキーの施錠操作によって回動して、前記施錠されたメインキーの施錠フック部材を施錠位置にロックすると共に、本体側のサブキーフック受けに係合フックを係合して側面開閉扉の開放をロックするロック部材を設けたことを特徴とする請求項４に記載の自動精算機用盗難防止装置。
【請求項６】
メインキーの施錠フックをロックするロック部材の全体を、サブキーを施錠操作すると、回動してロック部の部分を上記施錠フック部材の回動通路上に位置させて、施錠フック部材の解錠回動を制止する一方、サブキーを解錠操作すると、移動してロック部の部分を上記施錠フック部材の回動通路上より退避させて、施錠フック部材の解錠回動を可能にする回転板構造に構成したことを特徴とする請求項２又は５に記載の自動精算機用盗難防止装置。
【請求項７】
前記施錠フック部材の他側部に、メインキーを施錠操作した時に、前記側面開閉扉の係合部に係合して前面開閉扉の開放をロックする係止アームと、施錠操作された前記サブキーのロック部材によって解錠回動が制止されるロック突片を設けたことを特徴とする請求項４、５又は６に記載の自動精算機用盗難防止装置。
【発明の詳細な説明】
【０００１】
【発明の属する技術分野】
本発明は、各種の料金等を自動的に精算する機能を備えた自動精算機（料金自動精算機）の技術分野で利用されるものであって、具体的には、自動精算機に実施して好適な盗難防止装置に関するものである。
【０００２】
【従来の技術】
車輌の入出庫管理を全て自動的に行う無人管理方式の駐車場では、駐車料金の計算と徴収、並びに、釣銭の支払い等を例えば特開平４−２６８８９１号公報の図２並びに図３に示した如き構成の料金自動精算機を用いて自動的に精算し、駐車料金の精算が済むと出庫ゲートを開いて車輌の出庫を可能にする仕組に成っている。
【０００３】
この様な無人管理方式の駐車場では、料金自動精算機に駐車料金として支払われた現金とか釣銭用の現金、或は、カード類が、管理人等が回収する迄の間、内部の金庫等に収められた状態のまま保管されており、加えて、駐車場には管理者が常駐していない点から、夜間等にこれ等現金及びカード類の盗難事故が発生する場合があって、非常に不用心であった。
【０００４】
そこで従来は、精算機の開閉扉の錠を壊れにくい頑丈な構造にしたり、開閉扉の錠の数を増やして開きにくくしたり、更には、開閉扉を無断で開くと直ちに警報器が鳴るように構成した、各種の盗難防止対策が講じられていた。
【０００５】
しかし、開閉扉の錠を頑丈に造ったり、錠の数を増やしても、より強力な道具類を使用すれば容易に破壊して開閉扉を難無く開くことができ、また、警報器が鳴っても警備員や管理人等が到着する迄の時間に現金等を容易に抜き取ることができるから、いずれの対策も盗難を完全に防止することができなかった。
【０００６】
これに対して、特開平７−２２０１３５号公報並びに特開平７−２７２０９４号公報に記載されている料金自動精算機用盗難防止装置は、いずれも上記従来技術の問題点を解決するために本出願人が開発したものであって、前者の公報に記載された装置によれば、精算機の開閉扉を防御するポールと、このポールを不正に外した際に警報を発する警報装置とによって盗難を未然に防止することができ、また、上記後者の公報に記載された装置によれば、精算機の開閉扉を開閉式の保護枠で囲い、保護枠がこじ開けられた場合には、警報が発券機せられて盗難を未然に防止できる仕組に成っている。
【０００７】
【発明が解決しようとする課題】
上述した各盗難防止装置によれば、精算機の開閉扉の鍵を壊して現金やカード類を盗むには、先ず障害物であるポールや保護枠を外さねばならず、また、これ等障害物を外した場合は警報が鳴って警報員等が駈けつける仕組に成っているため、優れた防犯効果を発揮することができるのであるが、しかし、交通事情や遠隔地等が原因で警備員の到着が遅れた場合には、折角警報装置が作動しているにも拘らず盗難を防御できない問題があり、更に、後者の装置は構造が頗る複雑で、設置コストが高く、手軽に実施できない問題もあった。
【０００８】
従って本発明の技術的課題は、従来のものよりも構成が簡単で容易に設置して比較的低コストにて実施でき、且つ、構造が堅固で信頼性の高い盗難防止装置を提供することができると共に、犯人が現金やカード類を盗み出す迄に要する時間を出来るだけ長くして、警備員等が駈け付ける迄の時間を稼ぐことができるように工夫した料金自動精算機用盗難防止装置を提供することである。
【０００９】
【課題を解決するための手段】
（１）  上記の技術的課題を解決するために、本発明では前記請求項１に記載の如く、各種料金等を精算する機能を具備すると共に、全体を床面或は路面の上に設置可能な略ボックス形状に造り、且つ、内部への現金等の出し入れを本体前面又は側面に設けた開閉扉を開いて行うように構成した自動精算機であつて、上記開閉扉の内側に施錠フック受けを設け、この開閉扉を取付けた面に隣接する本体の一側面に、少なくとも鍵の操作を可能にした最小空間の鍵操作室を凹設して、この鍵操作室の内側面のうち、上記開閉扉に対向する側部内側面にメインキーを設けると共に、メインキーの内側部には、メインキーの施錠操作によって回動して、上記開閉扉の施錠フック受けに係合する施錠フック部材を設けるように構成している。
【００１０】
（２）  また、本発明では前記請求項２に記載の如く、前記鍵操作室を凹設した本体側面にサブキーを設け、このサブキーの内側部にはサブキーの施錠操作によって回動して、施錠状態にある前記メインキーの施錠フック部材を施錠位置にロックするロック部材を設けるように構成している。
【００１１】
（３）  次に本発明では、前記請求項３に記載の如く、前記メインキーの施錠フック部材の一側部に、メインキーを施錠操作した時に、前記開閉扉の施錠フック受けに係合するメインフックと、本体側の係止部に係合する係合フックと、施錠操作された前記サブキーのロック部材によって解錠回動が制止されるロック突片を設けると共に、上記施錠フック部材の他側部には、メインキーの施錠操作に従って本体側と開閉扉側に設けた各ロック板のロック穴に係合して、開閉扉の開放をロックする係合板を設けるように構成している。
【００１２】
（４）  次に本発明では、前記請求項４に記載の如く、各種料金等を精算する機能を具備すると共に、全体を床面或は路面の上に設置可能な略ボックス状に造り、且つ、内部への現金の出し入れを少なくとも本体前面と一側面に設けた各開閉扉を開いて行うように構成した自動精算機であって、上記前面開閉扉の内側に施錠フック受けを設ける一方、上記側面開閉扉に少なくとも鍵の操作を可能にした最小空間の鍵操作室を凹設して、この鍵操作室の内側面のうち、上記前面開閉扉に対向する側部内側面にメインキーを設けると共に、メインキーの内側部にはメインキーの施錠操作によって回動して、一体に設けたメインフックを上記前面開閉扉の施錠フック受けに係合する施錠フック部材を設け、且つ、この施錠フック部材の一側部には、メインキーの施錠操作時に本体側と前面開閉扉に設けた各ロック板のロック穴に係合して、前面開閉扉の開放をロックする係合板を設け、この係合板には、上記メインキーの施錠操作時に本体側ロック板のロック穴の縁に係合して、側面開閉扉の開放をロックする係止フックを突設するように構成している。
【００１３】
（５）  次に本発明では、前記請求項５に記載の如く、前記側面開閉扉にサブキーを設け、このサブキーの内側部には、サブキーの施錠操作によって回動して、前記施錠されたメインキーの施錠フック部材を施錠位置にロックすると共に、本体側のサブキーフック受けに係合フックを係合して側面開閉扉の開放をロックするロック部材を設けるように構成している。
【００１４】
（６）  次に本発明では、前記請求項６に記載の如く、メインキーの施錠フックをロックするロック部材の全体を、サブキーを施錠操作すると、回動してロック部の部分を上記施錠フック部材の回動通路上に位置させて、施錠フック部材の解錠回動を制止する一方、サブキーを解錠操作すると、移動してロック部の部分を上記施錠フック部材の回動通路上より退避させて、施錠フック部材の解錠回動を可能にする回転板構造に構成している。
【００１５】
（７）  更に本発明では、前記請求項７に記載の如く、前記施錠フック部材の他側部に、メインキーを施錠操作した時に、前記側面開閉扉の係合部に係合して前面開閉扉の開放をロックする係止アームと、施錠操作された前記サブキーのロック部材によって解錠回動が制止されるロック突片を設けるように構成している。
【００１６】
上記（１）で述べた請求項１に係る手段によれば、自動精算機の開閉扉は、施錠フック受けにメインキーの施錠フック部材を係合しているため、これを容易に開けることは難しく、加えて、メインキーは本体側面に凹設した最小空間の鍵操作室内で、而かも、その側部内側面に設けられているため、ドリル等の工具類を用いてメインキーをえぐって壊すことができず、その結果、比較的簡単な構造でありながら、開閉扉を壊して開くまでの時間をできるだけ長くして、警備員等が駆け付けるまでの時間を稼ぐことができると共に、犯人に与える精神面での負担を大きくして、破壊と犯行の意欲を喪失させることを可能にする。
【００１７】
上記（２）で述べた請求項２に係る手段によれば、サブキーのロック部材がメインキーの施錠フック部材の回動をロックするため、メインキーを壊しただけでは開閉扉を開くことができず、サブキーも一緒に壊さないかぎり開閉扉を開くことができないから、開閉扉を壊して開くまでの時間を益々長くすることができると共に、開くまでの手間を益々複雑化して、防犯効果を更に高めることを可能にする。
【００１８】
上記（３）で述べた請求項３に係る手段によれば、メインキーによって施錠操作される施錠フック部材には、開閉扉の施錠フック受けに係合するメインフックと、本体側の係止部に係合する係合フックと、本体と開閉扉の各ロック穴に係合する係合板が設けられていて、開閉扉の開放を多重にロックするため、開閉扉の施錠状態をより強固に保持して、精算機の防犯効果を更に高めることを可能にする。
【００１９】
上記（４）で述べた請求項４に係る手段によれば、自動精算機の前面と側面に開閉扉を設けた関係で、内部に対する現金等の出し入れや、メンテナンス等をより簡単に行うことができると共に、メインキーを最小空間の鍵操作室に設けることにより、ドリル等の道具類による破壊からメインキーが守られる仕組に成っており、而かも、このメインキーに設けた施錠フック部材に、前面開閉扉の開放をロックするメインフックと係合板を設け、また、この係合板にロック穴の縁に係合して側面開閉扉の開放をロックする係止フックを設けているため、１つのメインキーの施錠操作によって前面と側面の各開閉扉を同じにロックしたり、解錠したりすることができるものであって、各開閉扉の開閉操作とロック操作を簡単に行うことを可能にする。
【００２０】
上記（５）で述べた請求項５に係る手段によれば、メインキーを解錠操作しようとしても、サブキーを解錠操作してロック部材を回動しない限り、施錠フック部材がロックされて解錠できないため、メインキーを破壊したとしても、更にサブキーも破壊してロック部材を回動し、且つ、係合フックの係合を外さないと、前面開閉扉と側面開閉扉を開放することができないものであって、これ等開閉扉を開くまでの手間を益々複雑なものにして、精算機の防犯効果を更に高めることを可能にする。
【００２１】
上記（６）で述べた請求項６に係る手段によれば、サブキーの施錠操作と解錠操作によって、回転板構造のロック部材が切換え回動して、メインキーの施錠フック部材を施錠状態にロックしたり、施錠フック部材の解錠回動を可能にしたりすることができるものであって、メインキーとサブキーのいずれか一方のみを壊しただけでは各開閉扉を開くことができず、メインキーとサブキーの両方を壊して始めて各開閉扉を開くことを可能にする。
【００２２】
上記（７）で述べた請求項７に係る手段によれば、前面開閉扉を前記施錠フック受けに対するメインフックの係合と、側面開閉扉の係合部に対する係止アームの係合と、前記係止板によるロック穴との係合によって、三重にロックすることができるため、前面開閉扉の不正開放をより難しいものにして、精算機の防犯効果を更に高めることを可能にする。
【００２３】
【発明の実施の形態】
以下に、請求項１、２、３、６に記載した本発明に係る自動精算機用盗難防止装置の第１実施例の形態を図面と共に説明すると、図１の（イ）は本発明の盗難防止装置が実施されている自動精算機の正面図、（ロ）はその側面図、図２はその平面図であって、符号１で全体的に示した精算機本体（機体）は、床面や路面上に設置できるように全体が略ボックス状に造られていて、その前面にはヒンジ部１Ｘによって開閉扉１Ａが開閉自在に取付けられている。開閉扉１Ａには料金等の表示器や駐車カードや料金の挿入口（いずれも図示省略）を備えた表示部２や、各種の操作ボタン３，４、並びに、釣銭や領収証等の発行口５等が設けられていて、本体１には、駐車料金や、その他の料金（入場料等）を自動的に精算する公知の自動精算機能が具備されている。
【００２４】
６は上記本体１の側板１Ｂに設けたサブキー、７は側板１Ｂに凹設した鍵操作室で、この鍵操作室７は手を差込んで鍵を操作できる程度の角型形状の最小空間に造られていて、ドリル等の工具類を差込んで以下に述べるメインキーを破壊することが不可能な構成に成っている。
【００２５】
図４は、上記鍵操作室７を含む第１実施例の要部を拡大して示した平断面図、図５はその正面図を示したものであって、鍵操作室７は手を挿入できる大きさに開口した入口７Ａと、入口７Ａに対向する突き当たりの正面板７Ｂと、左右の側板７Ｄ，７Ｃ、及び、天板と底板（図示省略）とによって、小さなボックス状に造られていて、上記開閉扉１Ａに対向する一方の側板７Ｄに、メインキー１０がそのキー本体１０Ａを開閉扉１Ａ側に向けた状態、即ち、側板１Ｂの内側に沿わせた状態で取付けられている。
【００２６】
上記のメインキー１０は第１の鍵ＫＭによって開閉操作されるものであって、この鍵ＫＭによって開閉回動されるキー本体１０Ａの先端部には、施錠フック部材１２がビス１１によって固定されている。この施錠フック部材１２の一側部には、メインキー１０が第１の鍵ＫＭによってビス１１を中心に施錠回動された時に、前記開閉扉１Ａの内側に設けた断面略Ｌ字形状の施錠フック受け１４′に係合する同じく断面略Ｌ字形状に屈曲形成したメインフック１２Ｃと、本体１の入口部分に設けた断面略Ｌ字形状の係止部１７に係合する同じく断面略Ｌ字形状の係合フック１２Ｄと、後述するサブキー６のロック部材によって施錠フック部材１２自身の解錠回動が制止されるロック突片１２Ｂが設けられている。
【００２７】
また、上記施錠フック部材１２の他側部には、本体１側（具体的には前記鍵操作室７の外側面）に開閉扉１Ａに向けて突設した第１ロック板１３のロック穴１３Ｓと、この第１のロック板１３に近接させた状態で、且つ、上記開閉扉１Ａの内側に、本体１の内部に向けて突設するように設けた第２ロック板１４Ｔのロック穴１４Ｓに係合する係合板１２Ａが設けられている。尚、１４は上記開閉扉１Ａの内側部に取付けたロックフレームで、上記の第２ロック板１４Ｔがこのフレ−ム１４に連設されている。
【００２８】
同じく図４と図５に於いて、６Ａは本体１内に向けて突出した前記サブキー６のキー本体、ＫＳはこのサブキー６に差込んでキー本体６Ａを開閉作動する第２の鍵で、キー本体６Ａの先端部にはビス１６を用いて前述したロック部材１５が固定されている。
【００２９】
図８は上記ロック部材１５の構成を説明したもので、（イ）は施錠状態に回動した場合の平面図で、（ロ）はその正面図、（ハ）は解錠状態に回動した場合の平面図で、（ニ）はその正面図を示し、これ等の図面に於いて１５Ａは幅を広く構成した補強用の第１翼片、１５Ｂはこの第１翼片１５Ａに対して対称位置に設けた幅の狭い補強用の第２翼片、１５Ｃは前記ビス１６用の取付穴、１５′は前記施錠フック部材１２のロック突片１２Ｂを受けて、施錠フック部材１２の解錠回動を制止するロック部であって、前記第２の鍵ＫＳを用いてサブキー６を図４、図５のように施錠回動した時に、このロック部１５′が上記（イ）、（ロ）に示すようにロック突片１２Ｂの回動通路上に位置して、施錠フック部材１２の解錠回動を制止する一方、第２の鍵ＫＳを用いてサブキー６を図６、図７に示すように解錠操作すると、上記（ハ）、（ニ）に示すようにロック部１５′がロック突片１２Ｂの回動通路上から退避回動されて、施錠フック部材１２を解錠回動可能な状態にする仕組に成っている。
【００３０】
図６は第２の鍵ＫＳを用いてサブキー６を解錠操作することによって、ロック部材１５を図６及び図８（ハ）、（ニ）に示すように解錠位置に回動した後、第１の鍵ＫＭを用いてメインキー１０を解錠操作することにより、前記施錠フック部材１２を図７に於いて反時計回転方向に回動して、解錠位置に回動した状態を示したものであって、この様に解錠操作を行うと、図示したように施錠フック部材１２の各係合板１２Ａ、メインフック１２Ｃ、係合フック１２Ｄによるロックは全て外されるため、開閉扉１Ａを自由に開いて、内部の金庫（図示省略）に収められている各種料金等の回収や、釣銭等の補充といった現金の出し入れや、メンテナンス等を、この開いた開閉扉１Ａの部分から自由に行うことができる。
【００３１】
尚、図１、図２、図４、図６に示した実施例では、本体１の前面に開閉扉１Ａを設けて、この開閉扉１Ａをロックしたり解錠したりする構成が示されているが、この開閉扉１Ａを側板１Ｂに相当する本体１の側面部分に設けてもよく、その選択は任意とする。尚、側板１Ｂを開閉扉１Ａとした場合には、前記最小空間の鍵操作室７は、本体１の背面板の部分に設けられることになる。
【００３２】
次に、請求項４、５、６、７に記載した本発明に係る自動精算機用盗難防止装置の第２実施例の形態を図面と共に説明すると、図３はその平面図であって、本体１の前面と一側面には、夫々ヒンジ部１Ｘ，１Ｙを用いて開閉扉１Ａ，１Ｈが開閉自在に設けられ、側面の開閉扉１Ｈには、要部の構成を説明した図９と、図１０に示すように、前記第１実施例で説明したものと同じ構造の鍵操作室７と、サブキー６が設けられている。尚、これ等鍵操作室７とメインキー１０の構成、及び、サブキー６とロック部材１５の構成は、上記図４乃至図８で説明した第１実施例に記載のものと殆ど同一であるから、同一の部材には同一の符号を付してその説明を省略し、図９と図１０では第２実施例にのみ存在する独自の構成（具体的には施錠フック部材１２に関連する構成）に付いて説明する。
【００３３】
図３及び図９に於いて、１Ｚは前面と側面の開閉扉１Ａ，１Ｈの先端部間に設けた本体１側の支柱、２１はメインキー１０のキー本体１０Ａに取付けた上記施錠フック部材１２に設けられたメインフックで、２０は施錠時にこのメインフック２１に係合するように前面開閉扉１Ａの内側に設けた施錠フック受け、２０Ａと２１Ａはこれ等フック受け２０とメインフック２１に設けた係合縁を示す。
【００３４】
また、１２Ｙは上記施錠フック部材１２の一側部に設けた係止アームで、この係止アーム１２Ｙはメインキー１０の施錠時に側面開閉扉１Ｈの先端部内側に設けたアングル状の係合部２３に係合する仕組に成っている。また、上記施錠フック部材１２の他側部には、前記各ロック板１３，１４Ｔのロック穴１３Ｓ，１４Ｓに係合する係合板１２Ａが設けられ、且つ、この係合板１２Ａの上端縁には、メインキー１０の施錠時に、上記ロック板１３のロック穴１３Ｓの上縁に係合して、側面開閉扉１Ｈの開放を制止する係止フック１２Ｔが設けられている。
【００３５】
更に１５Ｘは、前記ロック部材１５の一側に突設した係合フックで、前記サブキー６を施錠操作して、ロック部材１５のロック部１５′を前記施錠フック部材１２のロック突片１２Ｂが回動する通路上にセットした施錠時に、この係合フック１５Ｘが前記本体１側（具体的には支柱１Ｚ）に設けたＬ字状のサブキーフック受け２２に係合して、側面開閉扉１Ｈの開放を制止する仕組に成っている。尚、第２実施例で用いるロック部材１５は、上記係合フック１５Ｘを設けた点で、前記第１実施例で用いるロック部材１５とは構造を異とするものであるが、他の構造は第１実施例で使用するものと同一である。
【００３６】
従って上記の第２実施例によれば、メインキー１０とサブキー６の各施錠状態に於いて、前面開閉扉１Ａは前記メインフック２１と施錠フック受け２０の係合と、係止アーム１２Ｙと係合部２３の係合と、ロック穴１３Ｓ，１４Ｓに対する係合板１２Ａの係合によって、多重にロックされ、また、側面開閉扉１Ｈはロック穴１３Ｓの上縁に対する係止フック１２Ｔの係合と、係合フック１５Ｘとサブキーフック受け２２の係合によって、同じく多重にロックされる。
【００３７】
また、上記の各開閉扉１Ａ，１Ｈを開くには、先ず、サブキー６を第２の鍵ＫＳで解錠してロック部材１５を回動すれば、前記係合フック１５Ｘとサブキーフック受け２２の係合が外れ、更に、ロック部１５′がロック突片１２Ｂの回動通路上から退避回動されるため、第１の鍵ＫＭによるメインキー１０の解錠操作が可能となる。従って、施錠フック部材１２の図１０に於ける反時計回転方向への解錠回動に基づいて、ロック穴１３Ｓの縁に対する係止フック１２Ｔの係合と、各ロック穴１３Ｓ，１４Ｓに対する係合板１２Ａの係合が外され、且つ、メインフック２１による施錠フック部材２０との係合と、係合フック１２Ｙと係合部２３との係合も外されて、前面開閉扉１Ａ及び側面開閉扉１Ｈの各開放を可能にする。
【００３８】
尚、前記第１実施例と第２実施例に於いて、上記メインキー１０とサブキー６を不正に破壊したり、前面開閉扉１Ａ及び側面開閉扉１Ｈを無断で開いた場合に、警報を発する警報器を取付けることによって、盗難をより確実に防止できることは勿論である。
【００３９】
【発明の効果】
以上述べた次第で、本発明に係る自動精算機用盗難防止装置によれば、開閉扉をサブキーとメインキーによる多重ロック構造に構成し、且つ、メインキーとサブキーの両方を壊さない限り開閉扉を開くことができないようにすると共に、メインキーはドリル等の工具類が使用できない最小空間の鍵操作室内に設けられているため、これ等の盗難防止対策が犯人に内部の現金を盗み出すことを諦めさせる抑止効果と成り、また、警備員や警察等が駆け付ける迄の時間稼ぎとすることができるものであって、構成が簡単で実施が容易な点と相俟って、例えば、無人管理式の駐車場や、その他各種施設の自動発券機や自動販売機等に用いて、優れた防犯効果を発揮することができる。
【図面の簡単な説明】
【図１】（イ）は本発明の第１実施例に係る自動精算機用盗難防止装置を備えた自動精算機の正面図で、（ロ）はその側面図である。
【図２】本発明の第１実施例の平面図である。
【図３】本発明の第２実施例の平面図である。
【図４】第１実施例の要部を拡大して示した平断面図である。
【図５】第１実施例の要部を拡大して示した正面図である。
【図６】第１実施例の解錠時の状態を説明した拡大平断面図である。
【図７】第１実施例の解錠時の状態を説明した拡大正面図である。
【図８】本発明で用いるロック部材の構成を説明したもので、（イ）は施錠時の平面図、（ロ）はその正面図、（ハ）は解錠時の平面図、（ニ）はその正面図である。
【図９】本発明の第２実施例の要部を拡大して示した平断面図である。
【図１０】同じく第２実施例の要部を拡大して示した正断面図である。
【符号の説明】
１              精算機本体
１Ａ            前面開閉扉
１Ｂ            側板
１Ｈ            側面開閉扉
６              サブキー
ＫＳ            第２の鍵
７              鍵操作室
１０            メインキー
ＫＭ            第１の鍵
１２            施錠フック部材
１２Ａ          係合板
１２Ｂ          ロック突片
１２Ｃ          メインフック
１２Ｄ          係合フック
１２Ｔ          係止フック
１３，１４Ｔ            ロック板
１３Ｓ，１４Ｓ          ロック穴
１４′          施錠フック受け
１５            ロック部材
１５′          ロック部
１５Ｘ          係合フック
１７            係止部
２０            施錠フック受け
２１            メインフック
２２            サブキーフック受け
２３            係合部
【図１】
0004022084.tif 000002
【図２】
0004022084.tif 000003
【図３】
0004022084.tif 000004
【図４】
0004022084.tif 000005
【図５】
0004022084.tif 000006
【図６】
0004022084.tif 000007
【図７】
0004022084.tif 000008
【図８】
0004022084.tif 000009
【図９】
0004022084.tif 000010
【図１０】
0004022084.tif 000011